(57)【要約】【課題】  運用回線に影響を与えず、回線収容設計が短時間で柔軟に検討できる回線収容設計支援システム、コンピュータにこの回線収容設計支援システムを実装するためのプログラム、および、このプログラムを記録したコンピュータ読取可能な記録媒体を提供する。【解決手段】  夫々、複数の伝送装置がノード１１としてリング状に接続されたリング状伝送ネットワーク１０が、複数個互いに接続してなる広域ネットワークにおいて、各ノード１１同士の通信を行う際の通信ルートを決定する為の、回線収容設計支援システムであって、前記リング状伝送ネットワーク１０の各々と、それらの間の接続関係をモニター上に表示することによって、前記広域ネットワークの全体構造を視覚的に表示し、前記モニター上に表示され、ポインティング・デバイス４によって指定された前記リング状伝送ネットワーク１０上の複数のノード１１を、前記通信ルートの始点、中継点及び終点として記録し、前記記録された始点、中継点及び終点を、通信ルートとしてデータベースに登録することを特徴とする。【選択図】  図２
2005277730.tif 000002
【特許請求の範囲】
【請求項１】
夫々、複数の伝送装置がノードとしてリング状に接続されたリング状伝送ネットワークが、複数個互いに接続してなる広域ネットワークにおいて、各ノード同士の通信を行う際の通信ルートを決定する為の、回線収容設計支援システムであって、
前記リング状伝送ネットワークの各々と、それらの間の接続関係をモニター上に表示することによって、前記広域ネットワークの全体構造を視覚的に表示し、
前記モニター上に表示され、ポインティング・デバイスによって指定された前記リング状伝送ネットワーク上の複数のノードを、前記通信ルートの始点、中継点及び終点として記録し、
前記記録された始点、中継点及び終点を、通信ルートとしてデータベースに登録することを特徴とする回線収容設計支援システム。
【請求項２】
前記リング状伝送ネットワークに存在する２つのノード間の通信ルートとしては、互いに逆方向の０系ルートと１系ルートがあり、前記ポインティング・デバイスによって指定された前記リング近傍の位置によって、０系ルートと１系ルートのいずれかが入力されることを特徴とする請求項１に記載の回線収容設計支援システム。
【請求項３】
前記広域ネットワークは、電力系ネットワークであることを特徴とする請求項１に記載の回線収容設計支援システム。
【請求項４】
コンピュータを、夫々、複数の伝送装置がノードとしてリング状に接続されたリング状伝送ネットワークが、複数個互いに接続してなる広域ネットワークにおいて、各ノード同士の通信を行う際の通信ルートを決定するための、システムとして機能させるためのプログラムであって、コンピュータにより、
前記リング状伝送ネットワークの各々と、それらの間の接続関係をモニター上に表示することによって、前記広域ネットワークの全体構造を視覚的に表示するステップと、
前記モニター上に表示され、ポインティング・デバイスによって指定された前記リング状伝送ネットワーク上の複数のノードを、前記通信ルートの始点、中継点及び終点として記録するステップと、
前記記録された始点、中継点及び終点を、通信ルートとしてデータベースに登録するステップとを実行させるプログラム。
【請求項５】
請求項４記載の回線収容設計支援プログラムを記録したコンピュータ読取可能な記録媒体。
【発明の詳細な説明】
【技術分野】
【０００１】
本発明は、複数の伝送装置がノードとしてリング状に接続されたリング状伝送ネットワークが、複数個互いに接続してなる広域ネットワークにおいて、各ノード同士の通信を行う際の通信ルートを決定するための、回線収容設計支援システム、コンピュータにこの回線収容設計支援システムを実装するためのプログラム、および、このプログラムを記録したコンピュータ読取可能な記録媒体に関する。
【背景技術】
【０００２】
近年、新しい伝送方式である広帯域リング伝送装置が導入されつつある。この広帯域リング伝送装置を、複数個組み合わせてリング状に連結して使用することにより、リング状の伝送ネットワークを構成することができる。また、通常、このリング状の伝送ネットワークを複数接続し、チェーン構成の広域リングネットワークとして利用される。ここで、隣接する伝送ネットワークの双方に含まれる、ルーティング・ノードで、適宜、ルーティングが行われる。
【０００３】
このチェーン構成では、中心部を基幹系ループ、周辺部をローカル系ループと呼ぶことがあり、全体としていくつかのリングが重なるチェーン構成の複雑なネットワークとなることがある。また、これら広帯域リング伝送装置の伝送ネットワークのリング単位に保守端末を設置してあり、そこからルーティングの設定を行うことが出来る。例えば、２つのノードをリンクする通信ルートとして、多数の選択肢があり得るが、それから管理者が適切と思えるもの１つを選択することになる。
【０００４】
また、電力系事業所間ネットワークへの応用では、この保守端末は、基幹系ループ用のものが、中央通信所に，また、各ローカル系ループ用のものが各電力所に設置されており、各メーカー、各機種別に各々必要となっている。
【０００５】
機種の違いから、通常、これらの保守端末はお互いにリンクされていない。各々の保守端末は，対応する各広帯域リング伝送装置のネットワーク情報を保存している。そして、該当ネットワークの各ノードにある各広帯域伝送装置の監視制御，及び各種設定等は、この保守端末から行われる。
【発明の開示】
【発明が解決しようとする課題】
【０００６】
しかしながら、この広帯域伝送装置を使用して，仮にＡ事業所〜Ｂ事業所間に１．５Ｍｂｐｓの回線構成を設計しようとすると、各リングの空きパスの状況等を勘案して設計することになるが、かなり検討時間がかかっているのが現状である。
【０００７】
また,オンライン稼働中の保守端末であるため、時間をかけて、回線収容設計を行うことは出来ない。従って、将来計画を踏まえた効率的な回線収容設計等の柔軟な検討が困難であるという問題がある。
【０００８】
更に、各々の広帯域伝送装置の保守端末は各メーカー，各機種別にソフト面（画面・操作方法等）が異なるので，回線設定（パス設定・削除等）を誤まると全体で重大な障害を与える可能性がある。これは、都市機能を司る電力系への応用では、極めて重要な問題である。
【０００９】
本発明は、以上の課題を解決するためになされたものであり、運用回線に影響を与えず、回線収容設計が短時間で柔軟に検討できる回線収容設計支援システム、コンピュータにこの回線収容設計支援システムを実装するためのプログラム、および、このプログラムを記録したコンピュータ読取可能な記録媒体を提供することを目的とする。
【課題を解決するための手段】
【００１０】
上記課題を解決するために、本発明による回線収容設計支援システムは、夫々、複数の伝送装置がノードとしてリング状に接続されたリング状伝送ネットワークが、複数個互いに接続してなる広域ネットワークにおいて、各ノード同士の通信を行う際の通信ルートを決定する為の、回線収容設計支援システムであって、前記リング状伝送ネットワークの各々と、それらの間の接続関係をモニター上に表示することによって、前記広域ネットワークの全体構造を視覚的に表示し、前記モニター上に表示され、ポインティング・デバイスによって指定された前記リング状伝送ネットワーク上の複数のノードを、前記通信ルートの始点、中継点及び終点として記録し、前記記録された始点、中継点及び終点を、通信ルートとしてデータベースに登録することを特徴とする。
【００１１】
好ましくは、前記リング状伝送ネットワークに存在する２つのノード間の通信ルートとしては、互いに逆方向の０系と１系があり、前記ポインティング・デバイスによって指定された前記リングの位置によって、０系ルートと１系ルートのいずれかが入力される。
【００１２】
更に、好ましくは、前記広域ネットワークは、電力系ネットワークである。
【００１３】
また、本発明による回線収容設計支援プログラムは、夫々、複数の伝送装置がノードとしてリング状に接続されたリング状伝送ネットワークが、複数個互いに接続してなる広域ネットワークにおいて、各ノード同士の通信を行う際の通信ルートを決定するための、システムとして機能させるためのプログラムであって、コンピュータにより、前記リング状伝送ネットワークの各々と、それらの間の接続関係をモニター上に表示することによって、前記広域ネットワークの全体構造を視覚的に表示するステップと、前記モニター上に表示され、ポインティング・デバイスによって指定された前記リング状伝送ネットワーク上の複数のノードを、前記通信ルートの始点、中継点及び終点として記録するステップと、前記記録された始点、中継点及び終点を、通信ルートとしてデータベースに登録するステップとを実行する。
【００１４】
更に、本発明によるコンピュータ読取可能な記録媒体は、回線収容設計支援プログラムを記録している。
【発明の効果】
【００１５】
従って、本発明の広帯域リング伝送装置の回線収容設計支援システムによれば、以下のような効果が期待できる。  
オフラインで作業を行えるため、運用回線に影響を与えず、回線収容設計が短時間で柔軟に検討できる。  
既設設備の効率的収容方法だけではなく、伝送機器を増設した場合も含めて検討できるので、将来計画を踏まえた、効率的な設備構築を検討することができる。  
広範囲の広帯域伝送装置において、簡易なチェックにより回線作業等によるル−ト全断を防ぐことができる。  
回線障害シミュレータとして訓練装置にも活用できる。
【発明を実施するための最良の形態】
【００１６】
以下、図面を参照して、本発明の実施例による広帯域リング伝送装置の回線収容設計支援システムを説明する。
【００１７】
図１は、本発明の一実施形態であるシステムの構成図である。図１に示す如く、本実施形態のシステムは、例えばパーソナルコンピュータであるコンピュータ１により構成される。コンピューク１には、本発明にかかる回線収容設計支援システムをコンピュータに実行させるためのプログラム１ａがインストールされている。本発明にかかる回線収容設計支援システムの開発は、ＣやＢａｓｉｃ等の一般的な開発環境によって行われる。また、ユーザーインターフェースとして、モニター２及びマウス等のポインティング・デバイス４が必須である。
【００１８】
なお、本発明にかかるデータ等は、例えばフロッピーディスク、ＣＤ−Ｒ０Ｍ、ＤＶＤ−Ｒ０Ｍ、メモリーカード等の可搬記憶媒体１ｃから記憶装置１ｂヘインストールすることとしてもよいし、あるいは、コンピュータ１をインターネット等のネットワークに接続して、このネットワークからコンピュータ１ヘダウンロードしてインストールすることとしてもよい。
【００１９】
次に、実施例に則して本発明を説明する。図２は、本発明の実施例による広帯域リング伝送装置の回線収容設計支援システムの利用可能な、ネットワーク構成の１例を説明するための概略図である。ここで、広域ネットワーク１は、相互の接続された複数の伝送ネットワーク１０からなっている。そして、これら複数の伝送ネットワーク１０の夫々には、複数の広帯域リング伝送装置（ノード）１１がリング状に接続された。例えば、これらのネットワーク回線は、ＯＰＧＷ等の光ファイバケーブルによって構成されている。
【００２０】
夫々の伝送ネットワークは、１本のループで示されているが、実際には、二重化されており、０系ルートと１系ルートとからなっている。また、このリング状ネットワークは、中心部に基幹系ループ、周辺部にローカル系ループからなっている。そして、個々の広帯域リング伝送装置には、専用の保守端末が接続しており、各広帯域リング伝送装置相互のリンク設定を可能としている。また、図では、中心部に基幹系ループ上のノードに破線が示されているが、これは単に、個々の伝送ネットワークのリングの対応関係を示すのみであり、夫々の伝送ネットワークは、適当なルーティング装置で互いにリンクされている。
【００２１】
次に、本発明の一実施形態による回線収容設計支援システムを利用して、広域ネットワーク１への広帯域リング伝送装置の回線収容設計を行う方法を説明する。
【００２２】
先ず、最初に、広域ネットワーク１に存在するすべての広帯域リング伝送装置から、ネットワークのエッセンス情報を、一且、手動操作でダウンロードする。これは、これら広帯域リング伝送装置に接続されている保守端末は、オンライン稼動中のため、オンラインで回線収容設計を行うと、誤設定等による誤断の恐れもあるためである。従って、ネットワークのエッセンス情報をダウンロードしてから、回線収容設計支援システムを利用して、オフラインで回線収容設計を行うことにより、この危険を回避する。また、このようにオフラインで行えば、将来計画を踏まえ、効率的な回線収容設計の十分な検討を行うことができる。図３は、このエッセンス情報を、伝送ネットワークの夫々に設けられた保守端末からダウンロードする様子を、説明する図である。
【００２３】
このネットワークのエッセンス情報とは、各広帯域リング伝送装置相互のリンク情報などを含み、ＣＣＶ形式でコンピュータ１に保存される。本発明の一実施形態による回線収容設計支援システムでは、このＣＣＶ形式の情報を解析し、図２のようにダイアグラムとしてモニター上に表示する。
【００２４】
図２のダイアグラムでは、色の表示は省略されているが、夫々の伝送ネットワークは、別々の色で表示されており、その接続形態は一目瞭然となっている。本発明の回線収容設計支援システムでは、単に、広域ネットワーク１の視覚化だけではなく、視覚化された広域ネットワーク１に対して、マウスやペンなどのポインティング・デバイスを用いて、ルート情報を入力出来る。
【００２５】
以下、ポインティング・デバイスを用いて、ルート情報を入力する方法を説明する。これは、ダブルクリック，クリック，ドラッグといったＧＵＩの一般的な手段を用いて、始点，終了点，開始点，終点等を指定する。また、１つのノード（広帯域リング伝送装置）の中に広帯域伝送装置が何台かあり，中継点では同一ノードの中の異なる広帯域伝送装置を接続（パス）する必要がある。
【００２６】
１つの方法では、始点のノードをダブルクリックし、そのまま次のノードまでドラッグする。次のノードが終了点であれば、ダブルクリックしてルートが決定される。次のノードが中継点であれば、シングルクリックしてそこまでのルートが決定される。中継点では同一ノードの中の異なる広帯域伝送装置が表示されているので、シングルクリックによってその１つを次の開始点として指定する。同様にして、ドラッグとクリックによって、必要なだけ中継点を指定する。最後に、終了点をダブルクリックしてルートが決定される。
【００２７】
別の方法では、先ず、ポインティング・デバイスで、伝送ネットワークの１つのノードをダブルクリックする。これにより、ルートの始点が決定される。次に、同じ伝送ネットワークの別のノードがダブルクリックされる。これによりルートの終点が決定される。
【００２８】
最後に、画面上のそのリングをクリックする。その際、クリックする位置によって、０系と１系のいずれかを指定する。即ち、リング上に２つのノード（始点及び終点）が有り、それによってリングは２つの部分に分けられる。その２つの部分の１つを指定することでルートの方向を決定する。右回りのルートであれば、０系と判断され、左回りであれば、１系と判断される。
【００２９】
もし、同一伝送ネットワークリング上で閉じたノード間通信の為のルートを指定する場合には、これでルート情報の入力は完了する。
【００３０】
異なる伝送ネットワークに存在するノード間の通信ルートを指定する場合には、複数の通信ルートを連結することになるので、上記手続きを繰り返すことになる。その際、前記ルートの終点が、次の通信ルートの始点になる。また、中継点では、同一ノードの中の異なる広帯域伝送装置を接続（パス）することになる。
【００３１】
従って、１つの通信ルートのルート情報の入力が完了したあと、次に、その伝送ネットワークに隣接する伝送ネットワーク上の始点、終点となるべきノードをクリックする。更に、画面上のそのリングを上又は下の位置をクリックして、０系ルートと１系ルートのいずれかを指定する。以下、目的とするノードを含む通信ルートが決定される迄、これを繰り返す。
【００３２】
以上のようにルート情報の入力が完了すると、図４のパス管理一覧表に、空きパス情報が表示されるので、パス種別（ＶＣ２、ＶＣ３、ＶＣ１１）等を任意に設定する。また、必要により、空きパス情報から自動的にパス種別を設定することもできる。
【００３３】
指定された通信ルートは、ＣＣＶ形式でコンピュータ１に保存され、データベースの各フィールドに格納される。そして、図４のようなパス管理一覧表として表示される。図５は、このパス管理一覧表で選択された通信ルートに沿って、各伝送ネットワークを展開した説明図である。これらに従って、本発明の実施例による回線収容設計支援システムを、より詳しく説明する。
【００３４】
先ず、モニターのネットワーク画面上で、回線収容設計を行う回線の始点となる広帯域リング伝送装置をポインティング・デバイスでダブルクリックし、次いで終点となる広帯域リング伝送装置をクリックする。そして、これら広帯域リング伝送装置間のルートとして選ばれた伝送ネットワークのリングの上部又は下部をクリックする。これにより、対応する伝送ネットワークのＩＤ（ここではＩＤ１となっている）とノードの番号（ここではＮＯ．１及びＮＯ．２となっている）を入力する。これらは、データベースの各フィールドに格納されるが、これで、通信ルートの１つのパスが入力される。また、この通信ルートを別の通信ルートへ連結する場合、即ち、先の終点を始点として新たな通信ルートを入力する場合、このパスにＮＷ接続フィールドを付加して、これを「有り」に設定する。この時、次の通信ルートの始点は、中継点となる。
【００３５】
この後、同様の処理により、この中継点となる広帯域リング伝送装置を始点として、次のパスが入力される。ここでは、伝送ネットワークのＩＤがＩＤ２、ノードの番号がＮＯ．２及びＮＯ．３となっている。やはり、このパスが更に別の通信ルートへ接続する場合、このパスの最後にＮＷ接続フィールドを付加して、これを「有り」に設定する。ここでは、伝送ネットワークのＩＤがＩＤ３、ノードの番号がＮＯ．３及びＮＯ．４となっている。
【００３６】
このようにして、単数又は複数のパスからなる通信ルートのエントリが作成され、予め準備されたデータベースに格納される。このデータベースに格納されたエントリは、図のようなパス管理一覧表として表示され、図に示したダイアグラムと共に、通信ルートの配置を全体的に把握することを可能にする。また、ここで示されていない各伝送ネットワークのリングの設定諸元、接続情報なども適宜、データベースのフィールドとして追加できる。
【００３７】
このダイアグラムとデータベースを参照して、問題の有りそうな通信ルートを適宜変更して、最終的な通信ルートを決定する。この最終的な通信ルートは、夫々の広帯域リング伝送装置へ送られ、そこで新たなルート情報として保持される。
【００３８】
尚、このようにして作成された通信ルートのデータベースと、図に示したダイアグラムは、実際の広域ネットワークに対応しているので、これを訓練シュミレータとしての活用することも可能である。
【００３９】
また、既設設備の効率的収容方法だけではなく、伝送機器を増設した場合、再度この回線収容設計支援システムを利用して、適切な回線収容設計を行うことが出来る。従って、将来計画を踏まえた、効率的な設備構築を検討することが可能となる。
【００４０】
従って、本発明の一実施形態による回線収容設計支援システムによれば、各々の広帯域リング伝送装置の伝送ネットワーク単位に設置してある各々の保守端末にネットワーク情報が保存してあるので、その情報を回線収容設計支援システムのインストールしてある１つのコンピュータに入力して、全ネットワークのデータベースの一元化を図ることができる。また、このコンピュータのモニター上の「ネットワーク画面」と、ポインティング・デバイスを用いて、オフラインで回線収容設計を簡易化するツールを実現できる。
【００４１】
以上、本発明を実施形態により説明したが、当業者にとっては、本発明が本願中に説明した実施形態に限定されるものではなく、多くの変形例および実装例が、発明の上記の実施形態に対してなし得ることは明らかである。
【図面の簡単な説明】
【００４２】
【図１】本発明の一実施形態による回線収容設計支援システムの構成図を示す。
【図２】本発明の実施例による広帯域リング伝送装置の回線収容設計支援システムの利用可能な、ネットワーク構成の１例を説明するための概略図である。
【図３】本発明の実施例による広帯域リング伝送装置の回線収容設計支援システムの利用可能なネットワークのエッセンス情報を、伝送ネットワークの夫々に設けられた保守端末からダウンロードする様子を説明する図である。
【図４】本発明の一実施形態による回線収容設計支援システムで作成されたパス管理一覧表を示す。
【図５】図４のパス管理一覧表で選択された通信ルートに沿って、各伝送ネットワークを展開した説明図である。
【符号の説明】
【００４３】
１  コンピュータ
２  モニター
１ａ  プログラム  １ｂ  記憶装置  １ｃ  可搬記憶媒体
４  ポインティング・デバイス
１０  伝送ネットワーク
１１  ノード
【図１】
2005277730.tif 000003
【図２】
2005277730.tif 000004
【図３】
2005277730.tif 000005
【図４】
2005277730.tif 000006
【図５】
2005277730.tif 000007